(57)【要約】【課題】次回の装置の利用に適したスタートのモードを簡単な操作で設定でき、従って装置の使用方法に精通していない利用者にも操作できる投射型映像表示装置を提供する。【解決手段】映像投射が主電源のオフで停止されるか、あるいはリモコン装置の操作で停止されるかを記憶する停止モード記憶部を備え、主電源が一旦オフされ、次回にオンされたときに、停止モード記憶部が記憶した停止モードが主電源のオフである場合には、制御部はダイレクトスタートモードに制御し、停止モード記憶部が記憶した停止モードがリモコン装置の操作である場合には、制御部はスタンバイスタートモードに制御する学習モードを備える。【選択図】図４
2010119027.tif 000002
【特許請求の範囲】
【請求項１】
主電源をオンすると同時に投射用のランプを点灯して映像投射を開始する第１のスタートモードと、主電源をオンすることにより制御部を待機状態にし、制御信号を受信して前記制御部が投射用の前記ランプを点灯して映像投射を開始する第２のスタートモードとを備えた投射型映像表示装置であって、
前記映像投射が主電源のオフで停止されるか、あるいは前記制御信号を受信して停止されるかを記憶する停止モード記憶部をさらに備え、
主電源が一旦オフされ、次回にオンされたときに、
前記停止モード記憶部が記憶した停止モードが主電源のオフである場合には、前記制御部は前記第１のスタートモードで映像投射を開始するように制御し、
前記停止モード記憶部が記憶した停止モードが前記制御信号の受信である場合には、前記制御部は前記第２のスタートモードで映像投射を開始するように制御する
第３のスタートモードを備えたことを特徴とする投射型映像表示装置。
【請求項２】
前記制御信号は、前記投射型映像表示装置が備える本体操作部、制御信号入力部および前記投射型映像表示装置と無線で接続されたリモコン装置のいずれかから受信されることを特徴とする投射型映像表示装置。
【発明の詳細な説明】
【技術分野】
【０００１】
本発明は、液晶プロジェクタなどの投射型映像表示装置に関し、くわしくは、主電源オン時の装置の動作モードを簡単な操作で適正にする技術に関する。
【背景技術】
【０００２】
液晶プロジェクタなどの投射型映像表示装置（以下単に「プロジェクタ」または「装置」とも記載する）には、通常、主電源をオンしたときに、すぐに投射ランプと液晶パネル（ライトバルブ）を駆動して映像を投射するモードと、例えば特許文献１に示すような、制御部のみに通電して待機状態にし、リモコン装置を利用者が操作することにより投射ランプと液晶パネルを駆動して映像を投射するモードとを備えている。
【０００３】
図６は、電源オン時のスタートモードを示す図である。
【０００４】
図６（ａ）は、前述の前者の動作を示す図で、図６のステップＳ１において、利用者が主電源スイッチをオンするとステップＳ２において冷却ファンをまず駆動し、次いでステップＳ３において、ランプを駆動してすぐに映像投射が行われる（以下「ダイレクトスタートモード」と記載）。以後、ステップＳ４で利用者がリモコン装置を操作することによりステップＳ５において、制御部が映像の切替や調整を行う。
【０００５】
図６（ｂ）は、前述の後者の動作を示す図で、図６のステップＳ１１において、利用者が主電源スイッチをオンするとステップＳ１２において、装置は、制御部に電源が供給され、リモコン装置の操作を受け付ける状態（以下「スタンバイモード」と記載）になり、ステップＳ１３において、利用者がリモコン装置の操作を行うことにより、ステップＳ１４で冷却ファンが駆動され、ステップＳ１５でランプが駆動されて映像投射が行われる。
【０００６】
オフィスで可搬型のプロジェクタを使って会議を行うような場合や、一般家庭でＴＶ放送やＤＶＤ映画などの動画映像を鑑賞する場合には、「ダイレクトスタートモード」の方が、操作が簡便で便利である。
【０００７】
一方、オフィス等で装置を会議室の天井等に常設し、パソコン（パーソナルコンピュータ）で作成した資料をスクリーンに投射して会議を行う場合は、装置の使用が断続的になるのでリモコン装置で映像投射の制御を行う「スタンバイモード」の方が使用性がよい。
【０００８】
また、大型の会議場等で、プロジェクタだけでなく照明や映像再生装置、ミキサー、オーディオアンプなどのほかのＡＶ機器が設置されており、会議場の管理者等がブレーカーを操作して、全機器の電源を一斉に操作するようなケースがある。このようなケースでは、プロジェクタはスタンバイモードにしておかないと、無駄な電力を消費したり、プロジェクタに使用されている光学部品の劣化が加速して商品寿命に悪影響を与える場合がある。
【０００９】
上記のような使用形態を考慮して、プロジェクタには、前述の２つのモードを予め設定できるように構成している。この設定は、通常、装置の保有するＯＳＤ（オンスクリーンディスプレイ）機能により、スクリーン上に動作モードの選択メニューを表示し、利用者がリモコン操作で選択する方法により実施される。
【特許文献１】特開２００７−２１９１６４号公報
【発明の開示】
【発明が解決しようとする課題】
【００１０】
しかしながら、プロジェクタをオフィス等の会議室の天井等に常設して利用する場合に、会議室の利用が会議だけの場合は、初期設定を「スタンバイモード」に設定しておけば、装置の投射開始及び終了等の操作はリモコン装置の操作だけで済むが、会議室を会議以外の、例えば動画映像を上映する講習会や勉強会にも利用する場合において以下に記載の課題が発生する。
【００１１】
動画映像の鑑賞が連続する場合には、前述したように、「ダイレクトスタートモード」の方が、操作が簡便であるため、前述のＯＳＤ機能画面で「ダイレクトスタートモード」に設定を変更する必要がある。この設定変更には、利用者に装置の操作方法に精通することが要求され、使用性がよくない。また、一旦「ダイレクトスタートモード」変更したのち、再び「スタンバイモード」に変更する場合も同様である。このように、同じプロジェクタを同じ利用形態ではなく、さまざまな利用形態で利用する場合には、その都度、利用者はモード変更のためのメニューをスクリーン上に表示して、リモコンを操作して変更する必要があり、手間がかかる。さらに、モード変更に手間取ると会議の進行を阻害しかねない。
【００１２】
本発明は、以上のことに鑑みてなされたものであり、次回の装置の利用に適したスタートのモードを簡単な操作で設定でき、従って装置の使用方法に精通していない利用者にも操作できる投射型映像表示装置を提供することを目的とする。
【課題を解決するための手段】
【００１３】
上述した目的を達成するために、本発明の投射型映像表示装置は、主電源をオンすると同時に投射用のランプを点灯して映像投射を開始する第１のスタートモードと、主電源をオンすることにより制御部を待機状態にし、制御信号を受信して制御部が投射用のランプを点灯して映像投射を開始する第２のスタートモードとを備えた投射型映像表示装置であって、映像投射が主電源のオフで停止されるか、あるいは制御信号を受信して停止されるかを記憶する停止モード記憶部をさらに備え、主電源が一旦オフされ、次回にオンされたときに、停止モード記憶部が記憶した停止モードが主電源のオフである場合には、制御部は第１のスタートモードで映像投射を開始するように制御し、停止モード記憶部が記憶した停止モードが制御信号の受信である場合には、制御部は第２のスタートモードで映像投射を開始するように制御する第３のスタートモードを備えたことを特徴とする。
【００１４】
これにより、次回の装置の利用形態に応じて投射型映像表示装置の終了操作を行うことで、次回の装置利用時のスタートモードを簡単に設定することが可能となり、投射型映像装置の使い勝手が向上する。すなわち、会議室等に常設された投射型映像表示装置とパソコンを用いた会議等のように、利用者がリモコンを操作して映像投射を開始したい場合は、装置の利用の終了に際してリモコン装置で装置の利用を終了する。これにより、次回のスタートモードはリモコン操作で映像投射を開始するスタンバイモードとなる。一方、次回の装置の利用が動画映像を利用する講習会や鑑賞会等のように主電源スイッチのオンでダイレクトに映像投射を開始したいような場合には、主電源スイッチをオフして装置の利用を終了する。これにより、次回のスタートモードは主電源オンで即映像投射を開始するダイレクトスタートモードとなる。
【００１５】
また本発明の投射型映像表示装置では、制御信号は、投射型映像表示装置が備える本体操作部、制御信号入力部および投射型映像表示装置と無線で接続されたリモコン装置のいずれかから受信してもよい。
【００１６】
これにより、投射型映像表示装置の操作方法が多様化し、使用状況にもっとも適した操作方法が選択できるので使い勝手が向上する。
【発明の効果】
【００１７】
本発明によれば、次回の装置の利用に適したスタートのモードを簡単な操作で設定でき、従って装置の使用方法に精通していない利用者にも操作できる投射型映像表示装置を提供することができる。
【発明を実施するための最良の形態】
【００１８】
以下、本発明の実施の形態について図面を参照しながら詳細に説明する。
【００１９】
（実施の形態）
まず、図１と図２を用いて本発明の実施の形態における投射型映像表示装置の構成を説明する。
【００２０】
図１は、本実施の形態における投射型映像表示装置１（以下、単に「装置１」ともいう）の設置の一例を示す図である。また、図２は、装置１の内部構成を示すブロック図である。
【００２１】
装置１は、建物の天井１ａに設置され、壁面２ａに設置されたスクリーン２に映像を投射する。
【００２２】
装置１へは、壁面に設けた電源スイッチ３の操作で、電源が供給される。パソコンやＤＶＤプレーヤーの映像出力が壁面に設けた映像入力端子４に接続される。なお、装置１の主電源の操作は会議室内の電源スイッチ３だけでなく、会議室外に設置された電源ブレーカー（図示せず）によってほかのＡＶ機器等と一緒に操作されてもよい。また、パソコンやＤＶＤプレーヤーからの映像信号は映像入力端子４を介さずに無線等で直接、装置１へ入力してもよい。
【００２３】
図２に示すように、装置１は映像切替部５、液晶パネル駆動部６、液晶パネル（ライトバルブ）７、ランプ８、投射レンズ９、冷却ファン１０、制御部１１、本体操作部１４、制御信号入力部１５およびリモコン受光部１２を備えている。
【００２４】
パソコンやＤＶＤプレーヤーからの複数の映像入力は、映像切替部５と液晶パネル駆動部６を経て液晶パネル７に入力される。
【００２５】
液晶パネル７の後方にランプ８を配し、前面に、フォーカスレンズとズームレンズなどの投射レンズ９を配している。ランプ８の光は、図２で左に水平方向に進行し、液晶パネル７を通過する際に、液晶パネル７に入力された映像信号により変調され、投射レンズ９で拡大されるとともにフォーカスが調整されてスクリーン２上に結像する。
【００２６】
冷却ファン１０は、ランプ８の発生する熱が液晶パネル７を含めた、ほかの電子部品、特に光学部品に悪影響を起こさないように液晶パネル他を冷却するためのものである。以上の符号５〜１０の構成要素は、制御部１１により制御される。
【００２７】
制御部１１は、マイコン（マイクロコンピュータ）を中心に構成され、その内部には、詳細を後述する停止モード記憶部１１ａを備えている。
【００２８】
この制御部１１には、本体操作部１４、リモコン受光部１２および制御信号入力部１５が接続され、ユーザーが操作する本体操作部１４、リモコン装置１３および外部コントローラ等（図示せず）からの制御信号を受信して、制御部１１は、映像投射の開始および終了、映像入力の切り替えや、スクリーンへ投射される映像の輝度やフォーカスなど調整のほか、後述するスタートモードの設定を行う。ここで、外部信号入力部１５が受信する制御信号はＲＳ２３２Ｃ等のシリアル制御信号を想定しているが、ネットワーク経由で受信する制御信号であってもよい。また、リモコン装置１３は赤外光を利用したものを想定しているが、８０２．１１ａ、ｂ、ｇ等の電波を使ったものでもよい。
【００２９】
すなわち、制御部１１は、スタンバイモードでは、リモコン受光部１２を待機状態にしておくだけであるが、リモコン装置１３の操作による投射モードでは、映像切替部５を制御して投射する映像入力を選択し、ランプ８を点灯する。そして、液晶パネル駆動部６を駆動して、液晶パネルに入力した映像信号でランプ８の光を変調し、冷却ファン１０を駆動する。また、レンズ９を駆動してスクリーン２の画像の大きさや、焦点を制御する。
【００３０】
次に、図３を用いて電源オン時の装置１のスタートモードの設定方法について説明する。
【００３１】
図３は、装置１において電源オン時のスタートモードの選択方法を示す図で、前述のＯＳＤ機能を用いて、スクリーン２上に３つのモード設定メニュー２ａ〜２ｃを表示する。モード設定メニュー２ａとモード設定メニュー２ｂは、前述の図６で説明した電源オン時のスタートモードを設定するメニューであり、それぞれダイレクトスタートモードとスタンバイモードを設定するメニューである。本発明の実施の形態では、これら従来の２つのモード設定メニューに、さらに１つのモード設定メニュー２ｃを追加している。モード設定メニュー２ｃは、学習モードを設定するメニューである。
【００３２】
この３つのモード設定メニューの中から１つのモード設定メニューを選択することにより、装置１の主電源スイッチがオンされたときの動作が決定される。
【００３３】
ここで、装置１の学習モードについて簡単に説明する。学習モードとは、装置１の映像投射を停止する停止モードを装置１の内部のメモリである停止モード記憶部１１ａに記憶しておき、次回に電源スイッチ３がオンされたときに、停止モード記憶部１１ａに記憶されている停止モードを読み出して、これと同じモードで映像投射の動作をスタートさせるものである。すなわち、リモコン装置１３を用いて装置１の映像投射が停止された場合には、次回の電源立ち上げ時は、スタンバイモードで動作をスタートし、電源スイッチ３をオフすることによって映像投射が停止された場合には、ダイレクトスタートモードで動作がスタートする。
【００３４】
次に図２を参照しながら図４を用いて図３のモード設定メニュー２ｃ（学習モード）が選択されたときの装置１の動作について説明する。ここでは、現在のプロジェクタの利用者が、次の会議等でプロジェクタがどのように利用されるかを事前に知っている場合を想定している。近年は、企業内のネットワークにより、会議室等の予約やスケジュールはパソコン上で実施、表示されるので、本発明の効果は十分に発揮できる。
【００３５】
図４は、本実施の形態における装置１の制御部１１の動作を示すフローチャートである。
【００３６】
ステップＳ２１において、利用者が映像投射を終了する。この場合、ステップＳ２２に記載のように２つのケースがある。すなわち、電源スイッチ３をオフして終了する場合と、リモコン装置１３によりオフする場合である。この２つのケースは、次のステップＳ２３で、停止モード記憶部１１ａに記憶される。
【００３７】
リモコン装置１３で終了した場合でも、次のプロジェクタの利用がない場合は、次のステップＳ２４で、利用者が主電源スイッチ３で装置１の電源はオフすることが望ましい。すなわち前述のスタンバイモードにおける無駄な微少電力が継続することを防止するためである。
【００３８】
次のプロジェクタの利用者が、ステップＳ２５において、主電源スイッチ３をオンすると、ステップＳ２６において、ステップＳ２４で記憶した、停止モード記憶部１１ａに記憶されたモードに従うスタートモードでスタートする。
【００３９】
すなわち、停止モード記憶部１１ａの記憶が、主電源スイッチ３で停止された場合は、「ダイレクトスタートモード」でスタートし、同様にリモコン装置１３で停止された場合は「スタンバイモード」でスタートする。
【００４０】
次に図５を用いて、本発明の実施の形態の具体的な使用の一例を説明する。図５は、図４の動作説明を補足するための図である。
【００４１】
図５は、会議室とその設備の利用スケジュールを示した図で、ネットワークに接続されたパソコンの全てで閲覧が可能である。
【００４２】
図５のａ１〜ａ４は全てパソコンを使用した会議なので、ａ１〜ａ３の利用者は、プロジェクタの利用を終了するに際して、それぞれリモコン装置で終了することにより次回の利用者は、プロジェクタを会議に適したスタンバイモードで利用できる。
【００４３】
ただし、ａ４の利用者は、次の日のｂ１の利用が映像系であるので、プロジェクタの利用を終了するに際して、電源スイッチ３をオフして終了する。
【００４４】
その結果、ｂ１の利用者は、映像の上映に適した「ダイレクトスタートモード」によりプロジェクタをスタートできる。また、ｂ１〜ｂ３の利用者もそれぞれプロジェクタの利用を終了するに際して、主電源スイッチをオフして終了することにより、「ダイレクトスタートモード」が維持される。ただし、ｂ４の利用者は、次のｂ５の利用者がパソコンを利用するのでプロジェクタの利用を終了するに際して、リモコン装置で終了することによりｂ５の利用者はパソコンの利用に適した「スタンバイモード」で利用できる。
【００４５】
以上のように、本発明の投射型映像表示装置１は、ＯＳＤ機能を用いた煩雑な設定を必要としない簡単な操作で、次回の装置の利用に適したスタートモードを設定できる。また、投射が必要でないときに投射用のランプが点灯することを避けることができ投射型映像表示装置１の消費電力を下げることができる。
【００４６】
なお、上記実施の形態では、会議室のスケジュール表等によって利用者が予め投射型映像表示装置１の次回の利用形態が分かっている場合を例にして説明したが、通常の使用時でもスタートモードを変更するための煩雑な操作を軽減でき、本発明が効果を発揮することは言うまでもない。
【００４７】
また、上記実施の形態では、リモコン装置１３により投射型映像表示装置１の映像投射を開始または終了する場合を説明したが、リモコン装置以外に本体操作部や制御信号入力部を介して外部コントローラによって映像投射を開始または終了してもよい。
【００４８】
また、上記実施の形態では、スタートモードの設定はＯＳＤ機能によると説明したが、ＯＳＤによらず投射型映像表示装置に備えられた前述の本体操作部１４を操作して設定してもよい。
【産業上の利用可能性】
【００４９】
本発明は、例えば、用途の異なる多様な使い方をするプロジェクタ等の映像表示装置に幅広く利用が可能である。
【図面の簡単な説明】
【００５０】
【図１】本発明の実施の形態における投射型映像表示装置の設置の一例を示す図
【図２】同投射型映像表示装置の内部構成を示すブロック図
【図３】同投射型映像表示装置の電源オン時のスタートモードの選択方法を示す図
【図４】同投射型映像表示装置の制御部の動作を示すフローチャート
【図５】図４の動作説明を補足するための図
【図６】従来の投射型映像表示装置の電源オン時のスタートモードを示す図
【符号の説明】
【００５１】
１    投射型映像表示装置本体部
２    スクリーン
３    電源スイッチ
４    映像入力端子
５    映像切替部
６    液晶パネル駆動部
７    液晶パネル
８    ランプ
９    投射レンズ
１０    冷却ファン
１１    制御部
１１ａ    停止モード記憶部
１２    リモコン受光部
１３    リモコン装置
１４    本体操作部
１５    制御信号入力部
【図１】
2010119027.tif 000003
【図２】
2010119027.tif 000004
【図３】
2010119027.tif 000005
【図４】
2010119027.tif 000006
【図５】
2010119027.tif 000007
【図６】
2010119027.tif 000008